(57)【特許請求の範囲】
【請求項１】
紙種と関連付けられるテスト紙シート上に１つまたは複数の色パッチを印刷することと、
全幅アレイ分光光度計を使用して前記１つまたは複数の色パッチのスペクトルデータを判定することと、
前記スペクトルデータに基づいて測定値を判定することと、
前記測定値のうちの少なくとも１つが既存の紙プロファイルと関連付けられる測定値に等しいか、または、測定値の範囲内にあることを判定することと、
前記既存の紙プロファイルと関連付けられるパラメータを使用して前記紙種と関連付けられる後続の紙シートを印刷することと、
第２の紙種と関連付けられる第２のテスト紙シート上に１つまたは複数の色パッチを印刷することと、
前記全幅アレイ分光光度計を使用して前記第２のテスト紙シートの前記１つまたは複数の色パッチの第２のスペクトルデータを判定することと、
前記第２のスペクトルデータに基づく１つまたは複数の測定値が、既存の紙プロファイルと関連付けられる測定値に等しくなく、または、測定値の範囲内にないという判定に基づいて、プリンタのパラメータを調整することと、
を含む、方法。
【請求項２】
前記テスト紙シートをプロファイリングするための命令を受信することをさらに含む、請求項１に記載の方法。
【請求項３】
前記印刷することは、インクジェットプリンタを使用して印刷することを含む、請求項１に記載の方法。
【請求項４】
前記インクジェットプリンタは水性インクジェットプリンタである、請求項３に記載の方法。
【請求項５】
前記全幅アレイ分光光度計は、前記インクジェットプリンタのインライン分光光度計である、請求項３に記載の方法。
【請求項６】
前記スペクトルデータは、前記テスト紙シートの白色度に対応するスペクトルデータを更に含む、請求項１に記載の方法。
【請求項７】
前記全幅アレイ分光光度計は、前記テスト紙シートの両面を走査する、請求項１に記載の方法。
【請求項８】
前記測定値は、色輝度、色域体積、色コントラスト、インク抜け、または紙白色度のうちの１つまたは複数を含む、請求項１に記載の方法。
【請求項９】
前記パラメータは、総インク量、インク制限、グレー成分置換、または色コントラストのうちの１つまたは複数を含む、請求項１に記載の方法。
【請求項１０】
新たなテスト紙シートと関連付けられる１つまたは複数の新たな測定値が、目標測定値に等しくなるか、または、測定値の範囲内に入るまで、第２の方法を実施することであって、前記第２の方法は、
先行するテスト紙シートと関連付けられる１つまたは複数の測定値に基づいて前記プリンタのパラメータを調整することと、
前記プリンタの前記調整されているパラメータに基づいて前記第２の紙種と関連付けられる新たなテスト紙シート上に１つまたは複数の色パッチを印刷することと、
前記全幅アレイ分光光度計を使用して前記新たなテスト紙シートの前記１つまたは複数の色パッチの新たなスペクトルデータを判定することと、
前記新たなスペクトルデータに基づいて新たな測定値を判定することと
を含む、第２の方法を実施することと、
前記目標測定値の範囲内の前記１つまたは複数の新たな測定値をもたらしている、前記調整されているパラメータに基づいて新たな紙プロファイルを生成することと
をさらに含む、請求項１に記載の方法。
【請求項１１】
前記パラメータは、繰り返し調整される、請求項１０に記載の方法。
【請求項１２】
プリンタと、
前記プリンタにデータを送信することが可能な１つまたは複数のプロセッサを備える処理システムと、
１つまたは複数のコンピュータ可読媒体を備えるメモリシステムであって、前記１つまたは複数のコンピュータ可読媒体は、前記処理システムによって実行されると、前記処理システムに、
紙種と関連付けられるテスト紙シート上に１つまたは複数の色パッチを印刷することと、
全幅アレイ分光光度計を使用して前記１つまたは複数の色パッチのスペクトルデータを判定することと、
前記スペクトルデータに基づいて測定値を判定することと、
前記測定値のうちの少なくとも１つが既存の紙プロファイルと関連付けられる測定値に等しいか、または、測定値の範囲内にあることを判定することと、
前記既存の紙プロファイルと関連付けられるパラメータを使用して前記紙種と関連付けられる後続の紙シートを印刷することと、
第２の紙種と関連付けられる第２のテスト紙シート上に１つまたは複数の色パッチを印刷することと、
前記全幅アレイ分光光度計を使用して前記第２のテスト紙シートの前記１つまたは複数の色パッチの第２のスペクトルデータを判定することと、
前記第２のスペクトルデータに基づく１つまたは複数の測定値が、既存の紙プロファイルと関連付けられる測定値に等しくなく、または、測定値の範囲内にないという判定に基づいて、プリンタのパラメータを調整することと、
を含む動作を実施させる、命令を含むメモリシステムと
を備える、システム。
【請求項１３】
前記プリンタは水性インクジェットプリンタである、請求項１２に記載のシステム。
【請求項１４】
前記全幅アレイ分光光度計は、前記水性インクジェットプリンタのインライン分光光度計である、請求項１３に記載のシステム。
【請求項１５】
前記全幅アレイ分光光度計は、前記テスト紙シートの両面を走査する、請求項１２に記載のシステム。
【請求項１６】
前記測定値は、色輝度、色域体積、色コントラスト、インク抜け、または紙白色度のうちの１つまたは複数を含む、請求項１２に記載のシステム。
【請求項１７】
前記パラメータは、総インク量、インク制限、グレー成分置換、または色コントラストのうちの１つまたは複数を含む、請求項１２に記載のシステム。
【請求項１８】
前記動作は、
新たなテスト紙シートと関連付けられる１つまたは複数の新たな測定値が、目標測定値に等しくなるか、または、測定値の範囲内に入るまで、第２の方法を実施することであって、前記第２の方法は、
先行するテスト紙シートと関連付けられる１つまたは複数の測定値に基づいて前記プリンタのパラメータを調整することと、
前記プリンタの前記調整されているパラメータに基づいて前記第２の紙種と関連付けられる新たなテスト紙シート上に１つまたは複数の色パッチを印刷することと、
前記全幅アレイ分光光度計を使用して前記新たなテスト紙シートの前記１つまたは複数の色パッチの新たなスペクトルデータを判定することと、
前記新たなスペクトルデータに基づいて新たな測定値を判定することと
を含む、第２の方法を実施することと、
前記目標測定値の範囲内の前記１つまたは複数の新たな測定値をもたらしている、前記調整されているパラメータに基づいて新たな紙プロファイルを生成することと
をさらに含む、請求項１２に記載のシステム。
【発明の詳細な説明】
【背景技術】
【０００１】
文書を印刷するために利用可能な、多数の異なる種類のプリンタ用紙が存在する。加えて、紙種は、結果としてもたらされる文書に対して大きな影響を与える可能性がある。たとえば、特に水ベースのインクジェットプリンタを使用するとき、特定の紙種が、色をより明るくする可能性があり、色域体積（利用可能な色の部分集合）を増大もしくは低減し、かつ／または、色の間および／もしくは色と紙との間のコントラスト（たとえば、黒色テキストと紙の白色度との間のコントラスト）に影響を与える可能性がある。
【０００２】
したがって、１つの種類のプリンタ用紙によって適切な印刷カラー文書をもたらすインクジェットプリンタのパラメータは、他の種類のプリンタ用紙にとっては適切でない場合がある。
【０００３】
それゆえ、インクジェットプリンタの、色管理制御のような、パラメータを効率的に管理するための方法、システム、およびデバイスによって、インクジェットプリンタ技術を向上させることができる。
【発明の概要】
【発明が解決しようとする課題】
【０００４】
本開示は、紙種と関連付けられるテスト紙シート上に色パッチを印刷すること、全幅アレイ分光光度計を使用して色パッチのスペクトルデータを判定すること、スペクトルデータに基づいて測定値を判定すること、測定値が既存の紙プロファイルと関連付けられる測定値に等しいか、または、当該測定値の範囲内にあることを判定すること、および、既存の紙プロファイルと関連付けられるパラメータを使用して当該紙種と関連付けられる後続の紙シートを印刷することによって、カラープリンタの色を管理するためのシステム、デバイス、および方法に関する。
【課題を解決するための手段】
【０００５】
いくつかの実施形態において、色パッチを印刷することは、テスト紙シートをプロファイリングするための命令を受信することに基づくことができる。
【０００６】
さらなる実施形態において、カラープリンタは、水性インクジェットプリンタのようなインクジェットプリンタであってもよい。
【０００７】
いくつかの実施形態において、全幅アレイ分光光度計は、インクジェットプリンタのインライン分光光度計であってもよい。
【０００８】
他の実施形態において、全幅アレイ分光光度計は、テスト紙シートの両面を走査することができる。
【０００９】
様々な実施形態において、スペクトルデータは、テスト紙シートの白色度に対応するスペクトルデータを含むことができる。
【００１０】
いくつかの実施形態において、測定値は、たとえば、色輝度、色域体積、色コントラスト、インク抜け、または紙白色度を含むことができる。
【００１１】
いくつかの実施態様において、カラープリンタは、第２の紙種と関連付けられる第２のテスト紙シート上に色パッチを印刷し、全幅アレイ分光光度計を使用して第２のテストシートの色パッチのスペクトルデータを判定し、測定値が、既存の紙プロファイルと関連付けられる測定値に等しくなく、または、当該測定値の範囲内にないという判定に基づいて、カラープリンタのパラメータを調整することができる。
【００１２】
さらなる実施態様において、調整されるパラメータは、たとえば、総インク量、インク制限、グレー成分置換、または色コントラストを含むことができる。
【００１３】
いくつかの実施形態において、カラープリンタは、新たなテスト紙シートと関連付けられる新たな測定値が、目標測定値に等しくなるか、または、当該測定値の範囲内に入るまで、第２の方法を繰り返し実施することができ、第２の方法は、先行するテスト紙シートと関連付けられる測定値に基づいてカラープリンタのパラメータを調整することと、カラープリンタの調整されているパラメータに基づいて第２の紙種と関連付けられる新たなテスト紙シート上に色パッチを印刷することと、全幅アレイ分光光度計を使用して新たなテスト紙シートの色パッチの新たなスペクトルデータを判定することと、新たなスペクトルデータに基づいて新たな測定値を判定することとを含むことができる。目標範囲内の新たな測定値をもたらしている、調整されているパラメータに基づいて、新たな紙プロファイルを生成することができる。
【００１４】
さらなる実施形態において、パラメータは、反復的に調整することができる。
【００１５】
本明細書に組み込まれ、その一部分を構成する添付の図面は、本開示の様々な実施形態を示し、本明細書とともに、本開示の原理を説明する役割を果たす。
【図面の簡単な説明】
【００１６】
【図１】図１は、特定の開示されている実施形態と一致する、例示的なインクジェットプリンタシステムの概略図である。
【図２】図２は、特定の開示されている実施形態と一致する、インクジェットプリンタシステムの出力経路において印刷シートを走査するように示されているＦＷＡ分光光度計の一例の概略側面図である。
【図３】図３は、特定の開示されている実施形態と一致する、インクジェットプリンタシステムにおいて紙プロファイルを管理する例示的な方法を示す流れ図である。
【図４】図４は、特定の開示されている実施形態と一致する、複数の異なる色の色パッチを有する印刷テストシートの一例を示す図である。
【図５】図５は、特定の開示されている実施形態と一致する、色パッチを測定する例示的な方法を示す流れ図である。
【図６】図６は、特定の開示されている実施形態と一致する、種々の紙種の色域体積を示す三次元グラフの例示的な二次元スライスを示す図である。
【発明を実施するための形態】
【００１７】
以下の詳細な説明は、添付の図面を参照する。可能性があればどこであっても、同じ参照符号が複数の図面内で使用され、以下の説明は同じまたは同様の部分を参照する。本開示のいくつかの例示的な実施形態および特徴が本明細書において説明されているが、本開示の趣旨および範囲から逸脱することなく、修正、適合、および他の実施態様が可能である。したがって、以下の詳細な説明は、本開示を限定しない。代わりに、本開示の適切な範囲は、添付の特許請求項の範囲によって画定される。
【００１８】
概して、インクジェットプリンタシステムは、色測定制御のような、パラメータを使用して構成することができる。色測定制御の例は、限定ではないが、総インク量、インク制限、グレー成分置換、色コントラストなどを含むことができる。
【００１９】
インクジェットプリンタシステムにおいて使用される紙種は、印刷カラー文書のような、システムの出力に大きく影響を与えるため、１つの紙種の満足のいく結果を達成するために使用されるパラメータは、異なる紙種にとっては不適切である場合がある。したがって、プリンタパラメータの選択は、インクジェットプリンタシステムを用いて印刷するときの重要なステップである。
【００２０】
いくつかの実施形態において、色管理制御を含むパラメータは、紙プロファイルまたは国際カラーコンソーシアム（ＩＣＣ）プロファイルとして、インクジェットプリンタシステム上に記憶することができる。たとえば、インクジェットプリンタシステムは、３つの一般的な種類のプリンタ用紙向けの３つの紙プロファイル（たとえば、加工なし／コーティングなし、加工あり／コーティングなし、および加工あり／コーティングあり）を予めロードされて購入され得る。加えて、いくつかの実施態様において、購入後に、追加の紙プロファイルをインクジェットプリンタシステムに加えることができる。
【００２１】
様々な実施形態において、紙プロファイルは、印刷コスト、印刷出力の品質、印刷出力の含水量、必要とされる乾燥の量などのような、様々な印刷要因のバランスをとるように設計することができる。
【００２２】
紙プロファイルは、紙プロファイルに対応する種類の少なくとも１つの紙シートがシステムによって使用されるときに（自動的にまたは手動で）選択することができる。紙プロファイルに基づいて、インクジェットプリンタシステムは、紙プロファイルに合致するパラメータを自動的に設定することができる。しかしながら、多くの種類のプリンタ用紙が存在し、インクジェットプリンタシステムは、未知のかつ／または未確認の種類のプリンタ用紙を供給される場合がある。
【００２３】
未知の種類のプリンタ用紙がインクジェットプリンタシステムへと供給されると（すなわち、既存の紙プロファイルと関連付けられるかどうかが分かっていない種類のプリンタ用紙）、システムは、未知の種類のプリンタ用紙のシートを使用して色パッチを有する１つまたは複数のテストシートを印刷することができる。テストシートは、たとえば、水性（水ベースの）インクを使用するインクジェットプリントヘッドを使用して印刷され得る。
【００２４】
水性インクは、たとえば、総インク量パラメータが、インクパイル高の持続性にとってだけでなく、インク抜けをもたらす過剰な含水量が置かれることを回避するためにも重要であるという点において、電子写真インクとは異なる。インク抜けは視覚的に好ましくないだけでなく、シートのしわ、カール、ひだなどのような他の問題をももたらす可能性がある。
【００２５】
いくつかの実施形態において、インクジェットプリンタシステムは、米国特許第６，９７５，９４９号明細書に記載されているようなＦＷＡのような、インライン全幅アレイ（ＦＷＡ）分光光度計を含むことができ、システムは、ＦＷＡによって走査されるべき印刷テストシートを送ることができる。ＦＷＡは、印刷テストシートに基づいて、色輝度、色域体積、色コントラスト、インク抜け、紙白色度などのような測定値を判定するために使用することができるスペクトルデータを判定して、測定値が許容可能であるか否かを判定し、かつ／または、未知の種類のプリンタ用紙と関連付けるための新たなもしくは既存の紙プロファイルを判定することができる。プリンタ用紙の種類が紙プロファイルと関連付けられると、紙プロファイルは、（自動または手動選択に基づいて）その種類のプリンタ用紙がシステムへと供給されるときに使用することができる。
【００２６】
図１は、特定の開示されている実施形態と一致する、例示的なインクジェットプリンタシステムの概略図である。図１は、例示のみを目的として意図されており、限定であるようには意図されていない。
【００２７】
図１に示すように、インクジェットプリンタシステム１００は、たとえば、給紙機構１１０と、インクジェットプリントヘッド１２０と、ＦＷＡ１４０とを含むことができる。紙シートは、給送機構１１０へと供給され、経路１３０に従ってインラインインクジェットプリントヘッド１２０へ、その後インラインＦＷＡ１４０へと進み、その後、システムから出力することができる。したがって、いくつかの実施形態において、インクジェットプリンタシステム１００は、少なくとも上述した構成要素を有する、閉じたシステムであり得る。インクジェットプリンタシステム１００は、さらなる実施態様において、たとえば、１つまたは複数のモータ、１つまたは複数の裁断機構、１つまたは複数のステープル機構、ユーザ入力デバイス、表示デバイスなどのような他の構成要素を含むことができる。
【００２８】
いくつかの実施形態において、未知の種類の紙が給紙機構１１０へと置かれる場合がある。このとき、インクジェットプリンタシステム１００は、紙種をプロファイリングするための命令を受信することができる。たとえば、オペレータは、（ボタンまたは他の種類の入力機構を使用して）新たなまたは未知の種類の紙が給紙機構１１０へと置かれているという指示を与えることができる。代替的に、たとえば、命令は、インクジェットプリンタシステム１００による、新たな紙がシステムの用紙積載機構に加えられているという判定、および／または、給紙機構１１０内のシートがまだプロファイリングされていないという判定に基づいてもよい。
【００２９】
いくつかの実施形態において、インクジェットプリンタシステム１００は、命令に応答して、インクジェットプリントヘッド１２０を使用して、色パッチを有する１つまたは複数のテストシートの印刷を開始することができる。例示的な色パッチが図４に示されており、下記にさらに詳細に説明される。
【００３０】
いくつかの実施形態において、インクジェットプリントヘッド１２０は、水性（水ベースの）インクを使用することができる。
【００３１】
様々な実施形態において、インクジェットプリントヘッド１２０は、１つまたは複数の紙プロファイルのパラメータ（たとえば、色管理制御）に基づいて、インク液滴を紙へと発射することによって、テストシートを印刷するために使用することができる。紙プロファイルは、文書を印刷するときに使用するための様々なパラメータを規定することができる。
【００３２】
いくつかの実施形態において、紙種をプロファイリングするための命令が受信されると、インクジェットプリンタシステム１００は、たとえば、試験プロファイル（すなわち、テストシートを印刷するように設計されている紙プロファイル）、別の種類の既存の紙プロファイル、または、手作業で入力されているパラメータを使用して、テストシートを印刷することができる。
【００３３】
インクジェットプリントヘッド１２０は、たとえば、チャンバ内でのインクの急速な蒸発を引き起こし、圧力を大きく増大させる蒸気泡を形成する加熱要素を通過される電流パルスを使用することによって、インク液滴を移動させるためのサーマルインクジェットプロセスを使用し、インク液滴を紙へと発射するサーマルインクジェットヘッドであってもよい。インクの表面張力、濃縮、および蒸気泡の収縮が、インクリザーバに取り付けられている狭いチャネルを通じてチャンバへとさらなる分量のインクを引き込む。
【００３４】
追加の例として、インクジェットプリントヘッド１２０は、加熱要素の代わりに、ノズルの後ろのインク充填チャンバ内の圧電材料を使用する圧電インクジェットヘッドであってもよい。電圧が印加されると、圧電材料は形状を変化させることができ、これによって流体内に圧力パルスが生成され、ノズルからインク液滴を押し出すことができる。
【００３５】
いくつかの実施形態において、インクジェットプリントヘッド１２０は、ドットの意図される色およびパラメータに応じて、ドットあたりゼロから８つの間のインク液滴を施与することができる。
【００３６】
テストシートが印刷されると、テストシートは、ＦＷＡ１４０によって走査することができる。ＦＷＡ１４０は、たとえば、色輝度、色域体積、色コントラスト、紙白色度などを判定するために、（米国特許第６，９７５，９４９号明細書にさらに詳細に記載されているように）スペクトルデータを測定することができる。加えて、いくつかの実施形態において、ＦＷＡ１４０は、スペクトルデータに基づいてインク抜けレベル（たとえば、もしあれば、インクがどの程度紙に裏抜けするか）をも判定するために、紙の両面を測定することができる。たとえば、図１に示すように、ＦＷＡ１４０は、シートが経路１３０を進行するときの、印刷シートの両面に対するセンサを含むことができる。
【００３７】
いくつかの実施態様において、スペクトルデータが測定されると、測定データは、１つまたは複数の既存の紙プロファイルと関連付けられる予測データと比較することができる。たとえば、試験プロファイルが使用される場合、１つまたは複数の既存の紙プロファイルを、その紙プロファイルと関連付けられる紙種の予測データと関連付けることができる。言い換えれば、第１の紙プロファイルと関連付けられる紙種は、試験プロファイルを使用してテストページがその紙種上に印刷されるときに、特定のスペクトルデータを生成すると予測することができる。
【００３８】
いくつかの実施形態において、インクジェットプリンタシステム１００は、閉ループシステムとすることができる。たとえば、インクジェットプリンタシステム１００は、インクジェットプリントヘッド１２０を使用してテストシートを印刷し、ＦＷＡ１４０を使用してテストシートを走査し、下記にさらに詳細に説明されるように、その後、走査されているテストシートからのデータをフィードバックとして使用して、パラメータを調整し、後続のテストシートおよび／または定期的な印刷ジョブを印刷することができる。
【００３９】
したがって、測定データが紙プロファイルの予測データに類似している場合、下記にさらに詳細に説明されるように、紙プロファイルを、新たなまたは未知の紙種と関連付けることができる。新たなまたは以前は未知であった紙種を使用する定期的な印刷ジョブは、識別された紙プロファイルを使用して印刷することができる。
【００４０】
測定データが予測データに類似していない場合、下記にさらに詳細に説明されるように、後続のテストシートを印刷することによって、新たな紙プロファイルを作成することができる。
【００４１】
図２は、特定の開示されている実施形態と一致する、インクジェットプリンタシステムの出力経路において印刷シートを走査するように示されているＦＷＡ分光光度計の一例の概略側面図を示す図である。
【００４２】
図２に示すように、ＦＷＡ分光光度計システム１０は、（単一のプリント回路基板上に搭載することができる）照明システムの両方のＬＥＤアレイ１４、１６であって、それらの両方が照明している印刷テストシート１２に対して約４５度の角度を成して対向して配向されている、ＬＥＤアレイ１４、１６を含む。したがって、それらは、ＬＥＤアレイ１４と１６との間において、垂直な向きの直線反射光光路が、１２Ａからセルフォック（登録商標）レンズ１８を通じてイメージャアレイ２０に至ることを可能にする。
【００４３】
ＦＷＡ分光光度計システムを使用したスペクトルデータの測定に関するさらなる詳細は、米国特許第６，９７５，９４９号明細書に見出すことができる。
【００４４】
図３は、特定の開示されている実施形態と一致する、インクジェットプリンタシステムにおいて紙プロファイルを管理する例示的な方法を示す流れ図である。プロセスは、３００において、紙種をプロファイリングするための命令をシステムが受信すると開始する。いくつかの実施形態において、命令は、たとえば、システム、システムの一部分でありかつ／もしくはシステムに接続されている入力端末、または、直接接続もしくはネットワーク接続を介してシステムに接続されているコンピューティングデバイス上のボタンを使用した、オペレータによる入力に基づいてもよい。たとえば、オペレータは、新たな種類の紙を用紙送りに追加していてもよい。さらなる例として、オペレータは、追加されている紙種について紙プロファイルが存在することについて意識しなくてもよい。別の例として、オペレータは、（たとえば、紙基材とインクジェットプリンタシステムの乾燥システムとのインク量入力相互作用を変更することによって引き起こされている可能性がある色ずれに起因して）その紙種および以前の紙プロファイルを使用した以前のプリントアウトに誤差がある可能性があると判定している場合がある。
【００４５】
さらなる実施形態において、命令は、システムが、ＦＷＡ分光光度計を使用して印刷文書を走査し、たとえば、色レベルが不正確であるであること、紙の白色度が現在の紙プロファイルと関連付けられる予測白色度に一致しないこと、閾値を超える量のインク抜けがあること、色コントラストおよび／または色／紙コントラストが不正確であることなどを判定するときに、システムによって生成することができる。いくつかの実施形態において、命令は、任意の新たな紙が用紙送りへと積載され、かつ／または、システムによって使用されるときに、システムによって生成することができる。さらなる実施形態において、命令は、色ずれが、システムによって検出される、以前のプリントアウトにおける誤差を引き起こすときに、システムによって生成することができる。
【００４６】
３０５において、システムは、色パッチを有するテストシートを印刷することができる。色パッチは、ＣＭＹＫおよび／またはＲＧＢパッチであってもよい。ＣＭＹＫおよび／またはＲＧＢパッチは、制限された色のパッチしか可能にすることができないが、これは、テストシートおよび現在のパラメータを使用していずれの種類の色を実現することができるかのシミュレーションを可能にする。
【００４７】
いくつかの実施形態において、テストシートは、試験紙プロファイル、現在の紙プロファイル（すなわち、システム上で現在アクティブな紙プロファイル）、または（たとえば、オペレータによって）選択される紙プロファイルを使用して印刷することができる。例示的なテストシートは図４に示されており、下記および米国特許第６，９７５，９４９号明細書にさらに詳細に記載されている。
【００４８】
３１０において、システムは、スペクトルデータを判定するために、図５に関連して下記にさらに詳細に記載されているように、ＦＷＡ分光光度計を使用してパッチを測定することができる。スペクトルデータはその後、色、密度、裏抜け、およびコントラストなどのような、様々な測定値を判定するために使用することができる。
【００４９】
３１５において、システムは、それらの測定値を、既存の紙プロファイルと関連付けられる他の紙種からの予測測定値と比較することができる。たとえば、紙の品質およびコストが増大すると、達成可能な色域体積のサイズも増大する。言い換えれば、紙がより安価になると、結果として色域体積も小さくなり得る。したがって、色域体積は、他の紙種の予測測定値と比較するために使用される測定値とすることができる。たとえば、より安価な紙（たとえば、加工なしかつコーティングなしの紙）は、第１の紙プロファイルと関連付けられ得、より高価な紙（たとえば、加工ありかつコーティングありの紙）は、第２の紙プロファイルと関連付けられ得る。テストシートから判定される色域体積は、テストシートの種類がいずれかのプロファイルと関連付けられ得るか否かを判定するために、第１の紙プロファイルおよび第２の紙プロファイルと比較され得る。
【００５０】
様々な実施形態において、色域体積は、下記にさらに詳細に説明されるように、スペクトルデータ内のＬ＊ａ＊ｂ＊値から計算することができる。
【００５１】
３２０において、システムは、判定されている測定値が、既存の紙プロファイルと関連付けられる紙種についての予測測定値に類似しているか否かを判定することができる。３２０において、測定値が、既存の紙プロファイルと関連付けられる予測想定値に類似している（たとえば、１つまたは複数の測定値が予測測定値の所定の範囲および／または閾値内にある）場合、プロセスは３５５に進むことができ、システムは、そのテストシートと関連付けられる紙種を使用する印刷ジョブに既存の紙プロファイルを使用することができる。たとえば、システムは、給紙装置内にある任意の残りの紙について既存の紙プロファイルと関連付けられるパラメータを使用して文書を印刷することができ、システムは、オペレータに（たとえば、紙プロファイルの名前を表示することによって）既存の紙プロファイルについて通知することができ、かつ／または、システムは、試験されている種類の紙がシステムへと供給されるときに自動的にその紙プロファイルを使用することができる。
【００５２】
３２０において、判定されている測定値が既存の紙プロファイルについての予測測定値に類似していない（たとえば、１つまたは複数の測定値が、予測測定値の所定の範囲および／または閾値内にない）場合、プロセスは３２５に進むことができる。
【００５３】
３２５において、システムは、較正誤差、または、紙、システムのプリントヘッドなどと関連付けられる任意の他の種類の誤差がないことを検証するために、試験されている種類の第２のテストシートに対して印刷線形化を実施することができる。誤差が判定される場合、いくつかの実施形態において、較正パラメータに調整を行うことができ、追加のテストシートを印刷することができ、再び印刷線形化を実施することができる。誤差が検出されない場合、プロセスは３３０に進むことができる。
【００５４】
３３０において、システムは、パラメータ（たとえば、色管理制御）を調整することができる。いくつかの実施形態において、パラメータは、判定されている測定値（たとえば、以前のテストシートの判定されている色域体積および／または抜け）に基づいて調整することができる。たとえば、以前のテストシート上に無視できない抜けがあるとシステムが判定する場合、後続のテストシートについて、総インク量を（たとえば、２２０％から２００％へ）低減することができる。代替的な実施形態において、システムは、各テストシートについてパラメータ値を漸進的に低減または増大させることによって、全範囲のテスト結果を達成するようにパラメータを調整することができる。
【００５５】
たとえば、第１のテストシートは、４００％の総インク量で印刷することができ、これは、後続のテストシートで、または、発生する抜けが許容可能なかつ／または無視できる量になるまで、４００％から０％へと漸進的に低減することができる。代替的な例として、第１のテストシートは、０％の総インク量で印刷することができ、これは、後続のテストシートで、または、発生する抜けが許容不可能なかつ／または無視できない量になるまで、０％から４００％へと漸進的に増大させることができる。
【００５６】
３３５において、システムは、調整されているパラメータに基づいて、色パッチを有する後続のテストシートを印刷することができる。
【００５７】
３４０において、システムは、スペクトルデータを判定し、色、密度、および抜けのような測定値を判定するために、図５に関連して下記にさらに詳細に記載されているように、ＦＷＡ分光光度計を使用してパッチを測定することができる。
【００５８】
３４５において、システムは、１つまたは複数の測定値が目標範囲内にあるか否かを判定することができる。たとえば、システムは、色域体積および／または抜けが目標範囲内にあるか否を判定することができる。いくつかの実施形態において、目標範囲は、業界基準範囲に基づいて設定することができる。
【００５９】
３４５において、測定値が目標範囲内にない場合、プロセスは３３０に戻ることができ、測定値が調整され（３３０）、色パッチが印刷され（３３５）、色パッチが測定され（３４０）、測定値が目標範囲内にあるか否かが判定される（３４５）。したがって、いくつかの実施形態において、３３０〜３４５は、測定値が目標範囲内に入るまで繰り返すことができる。
【００６０】
３４５において、測定値が目標範囲内にある場合、プロセスは３５０に進むことができ、測定スペクトルデータ／目標範囲内の測定値をもたらしたパラメータに基づいて新たな紙プロファイルを生成することができる。新たな紙プロファイルは、たとえば、システム内に記憶することができる。
【００６１】
３５５において、システムは、テストシートと関連付けられる紙種を使用する印刷ジョブのために新たな紙プロファイルを使用することができる。たとえば、システムは、新たな紙プロファイルと関連付けられるパラメータを使用して後続の文書を印刷することができ、システムは、オペレータに（たとえば、紙プロファイルの名前を表示することによって）既存の紙プロファイルについて通知することができ、かつ／または、システムは、試験されている種類の紙がシステムへと供給されるときに自動的にその新たな紙プロファイルを使用することができる。
【００６２】
図３に示すステップは特定の順序において実施されるように記載されているが、記載されている順序は例示に過ぎず、特定の開示されている実施形態と一致する、様々な異なるステップシーケンスが実施されてもよい。たとえば、いくつかの実施形態において、システムは、３２５において印刷線形化を実施しなくてもよい。特定の開示されている実施形態に一致する、ステップの追加の変形形態を利用することができる。さらに、記載されているステップは網羅的または絶対的であるようには意図されておらず、様々なステップが挿入または削除されてもよい。
【００６３】
図４は、特定の開示されている実施形態と一致する、複数の異なる色の色パッチを有する印刷テストシートの一例である。
【００６４】
印刷テストシート３０は、インクジェットプリンタシステム（たとえば、図１のインクジェットプリンタシステム１００）によって印刷されている印刷テストシートおよび／または図３の３０５もしくは３３５において印刷されている印刷テストシートを表すことができる。図４に示すように、印刷テストシート３０は、複数列の異なる色パッチ３１と、タイミングまたはトリガ指標マーク３３とを含むことができる。図示されているように、また図１に示すように、印刷テストシート３０は、印刷され、その後、ＦＷＡ分光光度計（たとえば、図１のＦＷＡ１４０または図２のＦＷＡ分光光度計システム１０）によって走査され得る。様々な実施形態において、印刷テストシート３０は、スペクトルデータを判定するために走査することができ、スペクトルデータは、上述したように、新たなおよび／または未知の紙種が既存の紙プロファイルと関連付けられ得るか、または、新たなプリンタプロファイルが生成される必要があるかを判定するために使用される測定値へと変換することができる。
【００６５】
図５は、特定の開示されている実施形態と一致する、色パッチを測定する例示的な方法を示す流れ図である。いくつかの実施形態において、図５に関連して記載されているプロセスは、プロセッサおよびＦＷＡ分光光度計（たとえば、図１のＦＷＡ１４０または図２のＦＷＡ分光光度計システム１０）を使用して実施されるプロセスを表すことができる。
【００６６】
プロセスは５００において、印刷テストシートがＦＷＡにおいて受け取られると開始することができる。５１０において、ＦＷＡは、スペクトルデータを判定するために印刷テストシートを走査することができる。いくつかの実施形態において、ＦＷＡは、紙の両面を走査するスキャナを含むことができる。
【００６７】
５２０において、スペクトルデータは、プロセッサによって、パッチの色レベルのような測定値を判定するために使用することができる。たとえば、プロセッサは、ＣＭＹＫ（シアン、マゼンタ、黄色、および黒色）色パッチおよびＲＧＢ（赤色、緑色、青色）色パッチと関連付けられるスペクトルデータに基づいて色レベルを測定することができる。
【００６８】
５３０において、スペクトルデータは、プロセッサによって、印刷テストシートの白色度レベルのような測定値を判定するために使用することができる。
【００６９】
５４０において、プロセッサは、抜けレベルを判定するために、スペクトルデータを色密度に変換することができる。たとえば、印刷テストシートの裏面（すなわち、印刷色パッチから見て反対の面）からのスペクトルデータを色密度に変換して、抜けレベルを判定することができる。
【００７０】
図５に示すステップは特定の順序において実施されるように記載されているが、記載されている順序は一例に過ぎず、特定の開示されている実施形態と一致する、様々な異なるステップシーケンスが実施されてもよい。たとえば、５２０〜５４０は、任意の順序でかつ／または同時に実施されてもよい。特定の開示されている実施形態に一致する、ステップの追加の変形形態を利用することができる。さらに、記載されているステップは網羅的または絶対的であるようには意図されておらず、様々なステップが挿入または削除されてもよい。
【００７１】
図６は、特定の開示されている実施形態と一致する、種々の紙種の色域体積を示す三次元グラフの例示的な二次元スライスを示す図である。図６に示すように、グラフ６００は、Ｌ＊ａ＊ｂ＊の三次元グラフの二次元スライスとすることができ、Ｌ＊は明度を表し、ａ＊およびｂ＊は反対色次元を表す。たとえば、グラフ６００は、ａ＊ｂ＊のグラフを表すことができる。
【００７２】
グラフ６００は、３つの異なる紙種の色域体積を示すことができる。いくつかの実施形態において、色域体積は、３つの異なる紙種と関連付けられる既知の色域体積を表すことができ、ＦＷＡを使用して測定されているスペクトルデータを、既知の色域体積と比較して、既存の紙プロファイルを、試験されている紙シートの種類に使用することができるか否かを判定する（たとえば、図３の３１５および３２０）ときに使用することができる。
【００７３】
たとえば、ボリューム６１０は、加工ありかつコーティングありの紙の色体積を表すことができ、ボリューム６２０は、加工なしかつコーティングなしの紙の色体積を表すことができ、６３０は、加工ありかつコーティングなしの紙の色体積を表すことができる。
【００７４】
紙の品質およびコストが増大すると、達成可能な色域のサイズも増大する。グラフ６００は、それらの差の一般的な例を与える。１００％  Ｃ、Ｍ、Ｙ、Ｋ、Ｒ、Ｇ、Ｂ、およびＷ（白色）の基本パッチを使用して、ＦＷＡを使用して（たとえば、図５の５１０）判定されるＬ＊ａ＊ｂ＊値から色域体積を計算することができる。たとえば、図示されている色域体積は、ボリューム６２０については９８，６８３、ボリューム６３０については１３９，０４６、および、ボリューム６１０については２１７，２７３であり得る。したがって、既知の体積に類似している（たとえば、一定の範囲および／または閾値内にある）体積へと変換されるスペクトルデータをもたらす、試験されている紙種は、類似の体積を有する紙種と関連付けられる紙プロファイルを使用することができる。印刷テストシートの紙白色度のＬ＊ａ＊ｂ＊のチェックを使用して、いずれの既知の紙プロファイルを使用すべきか、または、新たなプロファイルが必要とされるかを判定することもできる。
【図１】
0006727148.tif 000002
【図２】
0006727148.tif 000003
【図３】
0006727148.tif 000004
【図４】
0006727148.tif 000005
【図５】
0006727148.tif 000006
【図６】
0006727148.tif 000007